(57)【特許請求の範囲】
【請求項１】
（ａ）過酸化水素を１〜６質量％、（ｂ）界面活性剤を０．１〜２０質量％、（ｃ）炭酸ナトリウム及び炭酸カリウムから選ばれるアルカリ剤を１〜２０質量％、（ｄ）ノナノイルオキシ−ｐ−ベンゼンスルホン酸、デカノイルオキシ−ｐ−ベンゼンカルボン酸、ドデカノイルオキシ−ｐ−ベンゼンスルホン酸及びこれらの塩から選ばれる漂白活性化剤を０．０１〜５質量％、（ｅ）重量平均分子量５千〜４万のポリアクリル酸もしくはその塩又はポリメタクリル酸もしくはその塩及び重量平均分子量１万〜１０万のアクリル酸とマレイン酸のコポリマーもしくはその塩から選ばれる分散剤としてのカルボン酸系ポリマーを０．０５〜１４質量％、（ｆ）溶剤を０．０１〜１５質量％、（ｇ）ホスホン酸及びそのアルカリ金属塩もしくはアルカノールアミン塩から選ばれる金属イオン封鎖剤を０．００５〜５質量％、並びに水を含有し、２０℃におけるｐＨが９〜１２の漂白剤組成物であって、該組成物１００ｍｌの２０℃におけるｐＨを７にするために必要な０．１規定硫酸水溶液の量が４０〜１０００ｍｌである衣料用漂白剤組成物。
【請求項２】
下記一般式（１−ａ）及び／又は（１−ｂ）の非イオン界面活性剤を０．５〜２０質量％含有する請求項１記載の衣料用漂白剤組成物。
Ｒ1−Ｏ−(Ｃ2Ｈ4Ｏ)c−Ｈ                  （１−ａ）
〔式中、Ｒ1は炭素数６〜１８のアルキル基又はアルケニル基であり、ｃは２〜２００の数である。〕
Ｒ1−Ｏ−(Ｃ2Ｈ4Ｏ)d−(Ｃ3Ｈ6Ｏ)e−Ｈ      （１−ｂ）
〔式中、Ｒ1は炭素数６〜１８のアルキル基又はアルケニル基であり、ｄ及びｅはそれぞれ独立に２〜１５の数であり、エチレンオキシドとプロピレンオキシドはランダムあるいはブロック付加体であってもよい。〕
【請求項３】
請求項１又は２の衣料用漂白剤組成物を、希釈することなく、衣料に付着した汚れに直接接触させる工程を有する衣料の漂白方法。
【請求項４】
請求項１又は２記載の衣料用漂白剤組成物を調製するための二剤型漂白剤であって、（ａ）成分を含む組成物からなるＡ剤と、（ｃ）成分を含有する組成物からなるＢ剤を、それぞれ分離して保持する容器に収容した二剤型漂白剤。
【発明の詳細な説明】
【０００１】
【発明の属する技術分野】
本発明は衣料用漂白剤組成物及び該漂白剤組成物を用いた漂白方法に関する。
【０００２】
【従来の技術及び発明が解決しようとする課題】
過酸化水素を主基剤とする液体漂白剤は色・柄物に使用でき、汚れに直接塗布できるなどの利点から好まれて使用されている。また、液体漂白剤は弱アルカリ洗剤と共に洗濯機に入れて洗浄するか、汚れに直接塗布した後、弱アルカリ洗剤と共に洗濯機で洗浄する方法が一般的であるが、未だその漂白効果は満足できるものではなく、例えば皮脂と食べこぼしのシミが複合したような頑固な汚れには直接塗布する洗浄方法においても、汚れを完全に落とすことは非常に困難である。
【０００３】
これを解決する方法としてアルカリ性の液体漂白剤組成物が提案されている。特開平７−１４４９０５号公報、特開平４−３４９１０９号公報には特定の安定化剤を用いた組成物が優れた漂白効果と安定性を示すことが開示されている。また、ＷＯ９１１２３０９号公報、ＷＯ９１１２３０７号公報には粉末状の無機過酸化物を分散させたアルカリ性液体漂白剤を開示している。しかしながら、これら組成物は漂白効果が十分ではなく、特に直接塗布する洗浄方法において満足できるシミ汚れ除去効果を得ることはできない。
【０００４】
その他、特開昭５５−４７２０８号公報、特開昭５６−１５１７９８号公報、特開昭５６−１５１８００号公報、特開昭６１−１５５２０８号公報、及び特開昭６３−２９１９９８号公報には、保存安定性のために特定の有機ホスホン酸を含有するｐＨが７以上の液体漂白剤が記載されているが、いずれも、直接塗布する洗浄方法において満足できるシミ汚れ除去効果を得ることはできない。
【０００５】
本発明の課題は高い漂白効果を有し、特に直接塗布することで高いシミ汚れ除去効果を有し、しかも漂白むらを引き起こさない漂白剤組成物を提供することにある。
【０００６】
【課題を解決するための手段】
本発明は、（ａ）過酸化水素〔以下、（ａ）成分という〕を１〜６質量％、（ｂ）界面活性剤〔以下、（ｂ）成分という〕を０．１〜２０質量％、及び水を含有し、２０℃におけるｐＨが９〜１２の漂白剤組成物であって、該組成物１００ｍｌの２０℃におけるｐＨを７にするために必要な０．１規定硫酸水溶液の量が４０〜１０００ｍｌである衣料用漂白剤組成物に関する。
【０００７】
また、本発明は、上記本発明の衣料用漂白剤組成物を、希釈することなく、衣料に付着した汚れに直接接触させる工程を有する衣料の漂白方法に関する。
【０００８】
【発明の実施の形態】
本発明の（ａ）成分は過酸化水素であり、漂白剤組成物中に１〜６質量％、好ましくは１〜５質量％、特に好ましくは１．５〜４．５質量％含有される。このような範囲において優れた漂白効果を得ることができる。
【０００９】
本発明の（ｂ）成分は界面活性剤であり、陰イオン界面活性剤、非イオン界面活性剤、陽イオン界面活性剤、および両性界面活性剤から選ばれる１種以上を用いることが好ましい。
【００１０】
陰イオン界面活性剤としては、分子中に炭素数１０〜１８、好ましくは１０〜１６、特に好ましくは１０〜１５のアルキル基又はアルケニル基と、−ＳＯ3Ｍ基及び／又は−ＯＳＯ3Ｍ基〔Ｍ：対イオン〕を有する陰イオン界面活性剤が好ましい。具体的には上記炭素数を有するアルキルベンゼンスルホン酸、アルキル（又はアルケニル）硫酸エステル、アルキレンオキシド平均付加モル数１〜６のポリオキシアルキレンアルキル（又はアルケニル）エーテル硫酸エステル、オレフィンスルホン酸、アルカンスルホン酸、α−スルホ脂肪酸、α−スルホ脂肪酸エステル及びこれらの塩が好ましい。これらの中でも特に炭素数１０〜１６のアルキル基又はアルケニル基を有するアルキル（又はアルケニル）硫酸エステル、炭素数１０〜１６のアルキル基又はアルケニル基を有し、エチレンオキシド（以下、ＥＯと表記する）平均付加モル数が１〜６、好ましくは１〜４、特に好ましくは１〜３であるポリオキシエチレンアルキル（又はアルケニル）エーテル硫酸エステル、もしくは炭素数１０〜１５のアルキルベンゼンスルホン酸、およびこれらの塩から選ばれる一種以上を配合することが好ましい。塩としては、ナトリウム塩、カリウム塩、アンモニウム塩、アルカノールアミン塩が貯蔵安定性の点から良好である。
【００１１】
非イオン界面活性剤としては、一般式（１）の化合物が好ましい。
Ｒ1−Ｔ−[(Ｒ2Ｏ)a−Ｈ]b      （１）
〔式中、Ｒ1は、炭素数６〜１８、好ましくは１０〜１６のアルキル基又はアルケニル基であり、Ｒ2は炭素数２又は３のアルキレン基であり、好ましくはエチレン基である。ａは２〜２００、好ましくは４〜５０、特に好ましくは５〜２０の数を示す。Ｔは−Ｏ−、−ＣＯＮ−又は−Ｎ−であり、Ｔが−Ｏ−の場合はｂは１であり、Ｔが−ＣＯＮ−又は−Ｎ−の場合はｂは２である。〕。
【００１２】
一般式（１）の化合物の具体例として以下の化合物を挙げることができる。
Ｒ1−Ｏ−(Ｃ2Ｈ4Ｏ)c−Ｈ                  （１−ａ）
〔式中、Ｒ1は前記の意味を示す。ｃは２〜２００、好ましくは３〜１００、より好ましくは４〜２０の数である。〕
Ｒ1−Ｏ−(Ｃ2Ｈ4Ｏ)d−(Ｃ3Ｈ6Ｏ)e−Ｈ    （１−ｂ）
〔式中、Ｒ1は前記の意味を示す。ｄ及びｅはそれぞれ独立に２〜１５、好ましくは２〜１０の数であり、エチレンオキシドとプロピレンオキシドはランダムあるいはブロック付加体であってもよい。〕
【００１３】
【化１】
0003751555.tif 000002
【００１４】
〔式中、Ｒ1は前記の意味を示す。ｆ及びｇの合計は３〜２０、好ましくは３〜１５、特に好ましくは２〜１０の数である。〕。
【００１５】
本発明ではこれらの中でも特に（１−ａ）及び（１−ｂ）から選ばれる非イオン界面活性剤が好ましい。
【００１６】
陽イオン界面活性剤としては、下記一般式（２）のモノ長鎖アルキル（もしくはアルケニル）トリ短鎖アルキル型陽イオン界面活性剤が好ましい。
【００１７】
【化２】
0003751555.tif 000003
【００１８】
〔式中、Ｒ3は炭素数８〜１８、好ましくは１０〜１８、特に好ましくは１０〜１６のアルキル基またはアルケニル基であり、Ｒ4、Ｒ5、Ｒ6は同一又は異なっていてもよい炭素数１〜３のアルキル基である。Ｘ-は陰イオン、好ましくはハロゲンイオン、炭素数１〜３のアルキル硫酸エステルイオン、炭素数１〜１２の脂肪酸イオン、炭素数１〜３の置換基を１〜３個有していてもよいアリールスルホン酸イオンである。〕。
【００１９】
両性界面活性剤としては下記一般式（３）の化合物又は一般式（４）の化合物から選ばれる化合物が好ましい。
【００２０】
【化３】
0003751555.tif 000004
【００２１】
〔式中、Ｒ7は炭素数８〜１６、好ましくは１０〜１６、特に好ましくは１０〜１４の直鎖アルキル基又はアルケニル基であり、Ｒ8、Ｒ9は、それぞれ、炭素数１〜３のアルキル基又はヒドロキシアルキル基である。Ｒ10は炭素数１〜５、好ましくは２又は３のアルキレン基である。Ｕは−ＣＯＯ−、−ＣＯＮＨ−、−ＯＣＯ−、−ＮＨＣＯ−、−Ｏ−から選ばれる基であり、ｈは０又は１、好ましくは１の数である。〕
【００２２】
【化４】
0003751555.tif 000005
【００２３】
〔式中、Ｒ11は炭素数９〜２３、好ましくは９〜１７、特に好ましくは１０〜１６のアルキル基又はアルケニル基であり、Ｒ12は炭素数１〜６、好ましくは１〜４、特に好ましくは２又は３のアルキレン基である。Ｖは−ＣＯＯ−、−ＣＯＮＨ−、−ＯＣＯ−、−ＮＨＣＯ−、−Ｏ−から選ばれる基であり、ｉは０又は１の数、好ましくは０である。Ｒ13、Ｒ14は、それぞれ、炭素数１〜３のアルキル基又はヒドロキシアルキル基、好ましくはメチル基、エチル基又はヒドロキシエチル基であり、Ｒ15はヒドロキシ基で置換していてもよい炭素数１〜５、好ましくは１〜３のアルキレン基である。Ｄは、−ＳＯ3-、−ＯＳＯ3-から選ばれる基であり、特に−ＳＯ3-が漂白洗浄効果の点から良好である。〕。
【００２４】
本発明の漂白剤組成物は、界面活性剤を０．１〜２０質量％、好ましくは０．５〜１５質量％、特に好ましくは０．５〜１０質量％含有することが、漂白洗浄効果の点から好ましい。また、特に好ましくは一般式（１−ａ）及び／又は（１−ｂ）の非イオン界面活性剤を０．５〜２０質量％、更に１〜１５質量％、一般式（２）の陽イオン界面活性剤を０．０５〜５質量％、更に０．１〜３質量％、一般式（３）及び／又は一般式（４）の両性界面活性剤を０．０５〜５質量％、更に０．１〜３質量％含有することである。
【００２５】
本発明の漂白剤組成物は上記（ａ）成分、及び（ｂ）成分を水に溶解させた水溶液の形態であり、２０℃のｐＨは漂白洗浄効果の点から９〜１２、好ましくは９．５〜１１である。また、該組成物１００ｍｌの２０℃におけるｐＨを７にするために必要な０．１規定硫酸水溶液の量が４０〜１０００ｍｌ、好ましくは５０〜５００ｍｌ、特に好ましくは１３０〜２５０ｍｌである。このような性質を該組成物に付与する目的から、本発明ではアルカリ剤〔以下、（ｃ）成分という〕を１〜２０質量％、好ましくは１〜１０質量％、特に好ましくは1．５〜７質量％含有する。好ましい（ｃ）成分としては水酸化ナトリウム、水酸化カリウム、水酸化マグネシウム、炭酸ナトリウム、炭酸カリウム、炭酸マグネシウム、モノエタノールアミン、ジエタノールアミン、トリエタノールアミン、リン酸３ナトリウム、リン酸水素２ナトリウム、リン酸３カリウム、リン酸水素２カリウム、リン酸２水素カリウムから選ばれる１種以上が好適であり、特に炭酸ナトリウム及び／又は炭酸カリウムが好ましく、炭酸カリウムが最も好ましい。
【００２６】
本発明では漂白効果を高める目的から本発明の漂白剤組成物に漂白活性化剤又は有機過酸〔以下、（ｄ）成分という〕を含有することが好ましい。漂白活性化剤としては漂白効果及び貯蔵安定性の点からアルカノイルオキシベンゼン型漂白活性化剤が好ましく、特に炭素数６〜１４、好ましくは７〜１３のアルカノイル基を有するアルカノイルオキシベンゼンスルホン酸もしくは炭素数６〜１４、好ましくは７〜１３のアルカノイル基を有するアルカノイルオキシベンゼンカルボン酸又はこれらの塩が好ましい。具体的に好ましい例としてはオクタノイルオキシ−ｐ−ベンゼンスルホン酸、ノナノイルオキシ−ｐ−ベンゼンスルホン酸、３，５，５−トリメチルヘキサノイルオキシ−ｐ−ベンゼンスルホン酸、デカノイルオキシ−ｐ−ベンゼンスルホン酸、ドデカノイルオキシ−ｐ−ベンゼンスルホン酸、オクタノイルオキシ−ｏ−又は−ｐ−ベンゼンカルボン酸、ノナノイルオキシ−ｏ−又は−ｐ−ベンゼンカルボン酸、３，５，５−トリメチルヘキサノイルオキシ−ｏ−又は−ｐ−ベンゼンカルボン酸、デカノイルオキシ−ｏ−又は−ｐ−ベンゼンカルボン酸、ドデカノイルオキシ−ｏ−又は−ｐ−ベンゼンカルボン酸、及びこれらの塩が挙げられる。塩としてはナトリウム塩、カリウム塩、マグネシウム塩が好ましく、特にナトリウム塩が溶解性の点から好ましい。
【００２７】
これらの中でも特にノナノイルオキシ−ｐ−ベンゼンスルホン酸、デカノイルオキシ−ｐ−ベンゼンカルボン酸、ドデカノイルオキシ−ｐ−ベンゼンスルホン酸及びこれらの塩が親油性汚れ漂白効果の点から好ましい。
【００２８】
有機過酸としては上述の漂白活性化剤と過酸化水素が反応して生成する化合物が好ましく、具体的には過オクタン酸、過ノナン酸、過デカン酸、過ウンデカン酸、過ドデカン酸、過３，５，５−トリメチルヘキサン酸が好適である。また、これら有機過酸と上記漂白活性化剤が反応することで生成する過酸化ジアルカノイルも本発明では好適な漂白活性化剤として作用する。具体的には過酸化ジオクタノイル、過酸化ジノナノイル、過酸化ジデカノイル、過酸化ジウンデカノイル、過酸化ジドデカノイルであり、異なるアルキル鎖長のアルカノイル基を有する過酸化ジアルカノイルを用いることも可能である。
【００２９】
本発明では（ｄ）成分を０．０１〜５質量％、好ましくは０．０１〜３質量％、特に好ましくは０．０１〜１．５質量％含有することが漂白効果の点から好ましい。
【００３０】
本発明では、漂白洗浄効果を高める目的から、本発明の漂白剤組成物に分散剤〔以下、（ｅ）成分という〕を含有することが好ましい。特に、重量平均分子量５千〜４万、好ましくは５千〜１万のポリアクリル酸もしくはその塩又はポリメタクリル酸もしくはその塩、重量平均分子量1万〜１０万、好ましくは３万〜７万のアクリル酸とマレイン酸のコポリマーもしくはその塩から選ばれるカルボン酸系ポリマー、及び重量平均分子量４千〜２万、好ましくは５千〜１万のポリエチレングリコールから選ばれる非イオン性ポリマーが好ましい。本発明では（ｅ）成分を０．０５〜１４質量％、好ましくは０．１〜８質量％含有することが好適である。
【００３１】
本発明では、洗浄効果を高める目的で溶剤〔以下、（ｆ）成分という〕を含有することが好ましい。（ｆ）成分としては（１）炭素数１〜５の１価アルコール、（２）炭素数２〜１２の多価アルコール、（３）下記の一般式（５）で表される化合物、（４）下記の一般式（６）で表される化合物、（５）下記の一般式（７）で表される化合物が好適である。
【００３２】
【化５】
0003751555.tif 000006
【００３３】
〔式中、Ｒ16及びＲ17は、それぞれ水素原子、炭素数１〜６のアルキル基、フェニル基又はベンジル基を示すが、Ｒ16及びＲ17の双方が水素原子となる場合を除く。ｊは０〜１０の数を、ｋは０〜１０の数を示すが、ｊ及びｋの双方が０である場合を除く。Ｒ18及びＲ19は、それぞれ炭素数１〜３のアルキル基を示す。Ｒ20は炭素数１〜８のアルキル基を示す。〕。
【００３４】
（１）の炭素数１〜５の１価アルコールとしては、一般的にエタノール、プロピルアルコール、イソプロピルアルコールが挙げられる。これらの低級アルコールを配合することにより低温における系の安定性を更に向上させることができる。
【００３５】
（２）の炭素数２〜１２の多価アルコールとしては、イソプレングリコール、２，２，４−トリメチル−１，３−ペンタンジオール、１，８−オクタンジオール、１，９−ノナンジオール、エチレングリコール、プロピレングリコール、ジエチレングリコール、ジプロピレングリコール、グリセリン等が挙げられる。
【００３６】
（３）の化合物は、一般式（５）において、Ｒ16、Ｒ17がアルキル基である場合の炭素数は１〜４が特に好ましい。また、一般式（５）中、エチレンオキシド及びプロピレンオキシドの平均付加モル数のｊ及びｋは、それぞれ０〜１０の数である（ｊ及びｋの双方が０である場合を除く）が、これらの付加順序は特に限定されず、ランダム付加したものであってもよい。（３）の化合物の具体例としては、エチレングリコールモノブチルエーテル、ジプロピレングリコールジメチルエーテル、ジエチレングリコールモノエチルエーテル、ジエチレングリコールモノブチルエーテル、プロピレングリコールモノメチルエーテル、プロピレングリコールモノブチルエーテル、プロピレングリコールモノエチルエーテル、プロピレングリコールジメチルエーテル、ポリオキシエチレン（ｐ＝２〜３）ポリオキシプロピレン（ｐ＝２〜３）グリコールジメチルエーテル（ｐは平均付加モル数を示す）、ポリオキシエチレン（ｐ＝３）グリコールフェニルエーテル、フェニルカルビトール、フェニルセロソルブ、ベンジルカルビトール等が挙げられる。このうち、洗浄力及び使用感の点から、プロピレングリコールモノメチルエーテル、ジエチレングリコールモノブチルエーテル、ポリオキシエチレン（ｐ＝１〜４）グリコールモノフェニルエーテルが好ましい。
【００３７】
また、（４）の化合物としては、１，３−ジメチル−２−イミダゾリジノン、１，３−ジエチル−２−イミダゾリジノンが好適なものとして例示され、（５）の化合物としてはアルキルグリセリルエーテル化合物が挙げられ、好ましくはＲ20が炭素数３〜８のアルキル基の化合物である。
【００３８】
これらのなかでも本発明の性質を満たすために（１）、（２）、（３）、（５）の水溶性溶剤が好ましく、特にエタノール、イソプロピルアルコール、エチレングリコール、プロピレングリコール、ジエチレングリコール、ジプロピレングリコール、グリセリン、イソプレングリコール、プロピレングリコールモノメチルエーテル、プロピレングリコールモノエチルエーテル、ペンチルグリセリルエーテル、オクチルグリセリルエーテル、ポリオキシエチレン（ｐ＝１〜４）グリコールモノフェニルエーテルから選ばれる溶剤が好ましい。
【００３９】
本発明では、（ｆ）成分を好ましくは０．０１〜１５質量％、好ましくは０．０５〜１０質量％含有することが良好である。
【００４０】
さらに本発明の漂白剤組成物には金属イオン封鎖剤〔以下、（ｇ）成分という〕を含有することが好ましい。本発明に用いられる（ｇ）成分としては、（１）フィチン酸等のリン酸系化合物又はこれらのアルカリ金属塩もしくはアルカノールアミン塩、（２）エタン−1,1−ジホスホン酸、エタン−1,1,2−トリホスホン酸、エタン−1−ヒドロキシ−1,1−ジホスホン酸およびその誘導体、エタンヒドロキシ−1,1,2−トリホスホン酸、エタン−1,2−ジカルボキシ−1,2−ジホスホン酸、メタンヒドロキシホスホン酸等のホスホン酸又はこれらのアルカリ金属塩もしくはアルカノールアミン塩、（３）２−ホスホノブタン−1,2−ジカルボン酸、１−ホスホノブタン−2,3,4−トリカルボン酸、α−メチルホスホノコハク酸等のホスホノカルボン酸又はこれらのアルカリ金属塩もしくはアルカノールアミン塩、（４）アスパラギン酸、グルタミン酸、グリシン等のアミノ酸又はこれらのアルカリ金属塩もしくはアルカノールアミン塩、（５）ニトリロ三酢酸、イミノ二酢酸、エチレンジアミン四酢酸、ジエチレントリアミン五酢酸、グリコールエーテルジアミン四酢酸、ヒドロキシエチルイミノ二酢酸、トリエチレンテトラミン六酢酸、ジエンコル酸等のアミノポリ酢酸又はこれらのアルカリ金属塩もしくはアルカノールアミン塩、（６）ジグリコール酸、オキシジコハク酸、カルボキシメチルオキシコハク酸、クエン酸、乳酸、酒石酸、シュウ酸、リンゴ酸、オキシジコハク酸、グルコン酸、カルボキシメチルコハク酸、カルボキシメチル酒石酸などの有機酸又はこれらのアルカリ金属塩もしくはアルカノールアミン塩、（７）ゼオライトＡに代表されるアルミノケイ酸のアルカリ金属塩又はアルカノールアミン塩、（８）アミノポリ（メチレンホスホン酸）もしくはそのアルカリ金属塩もしくはアルカノールアミン塩、又はポリエチレンポリアミンポリ（メチレンホスホン酸）もしくはそのアルカリ金属塩もしくはアルカノールアミン塩を挙げることができる。
【００４１】
これらの中で上記（２）、（５）、（６）および（７）からなる群より選ばれる少なくとも１種が好ましく、上記（２）からなる群より選ばれる少なくとも１種がさらに好ましい。
【００４２】
本発明において、（ｇ）成分の含有量は、好ましくは０．００５〜５質量％、さらに好ましくは０．０１〜１質量％である。
【００４３】
本発明の残部は水である。特にイオン交換水又は蒸留水などの重金属又は重金属イオンを極力除いた水を用いることが好ましい。本発明では塩素イオンも好ましくなく、塩素イオンも極力減少させた剤を用いることが好ましい。重金属、重金属イオン及び塩素イオンは過酸化水素の分解を促進させ、漂白効果を低下させる。本発明の最も好ましくは、重金属、重金属イオン及び塩素イオンを極力除いた上で、前記（ｇ）成分を併用することである。
【００４４】
本発明において水は好ましくは７０〜９８質量％、より好ましくは８０〜９５質量％含有する。
【００４５】
その他、本発明の漂白剤組成物には、漂白繊維に対する漂白効果を増すために蛍光増白剤として、チノパールＣＢＳ（チバ・ガイギー社製）、チノパールＳＷＮ（チバ・ガイギー社製）や、カラー・インデックス蛍光増白剤２８、４０、６１、７１等のような蛍光増白剤や、漂白性能を向上させるために酵素（セルラーゼ、アミラーゼ、プロテアーゼ、リパーゼ）することができる。また染料や顔料のような着色剤、香料、シリコーン類、殺菌剤、紫外線吸収剤等の種々の微量添加物を適量配合してもよい。
【００４６】
本発明の漂白剤組成物は、（ａ）成分、（ｂ）成分及び所望により配合されるその他成分が所定量となるように水に溶解する方法で調製できるが、使用する直前に調製されることが、高い漂白効果を得る上で好適である。そのために、各成分を別々の容易に収容する容器入りの形態として、適用直前に本発明の漂白剤組成物が形成されるような態様とすることができる。その一例として、（ａ）成分を含む組成物からなるＡ剤と、その他の成分を含有する組成物からなるＢ剤を、それぞれ分離して保持する容器に収容した二剤型漂白剤が挙げられる。この場合、（ｂ）成分はＡ剤、Ｂ剤の少なくとも一方に配合され、好ましくは両方に配合される。また、二剤型漂白剤において（ｃ）成分を併用する場合は、（ａ）成分を含有するＡ剤とは別のＢ剤に（ｃ）成分を配合することが好ましい。各成分は、混合後の組成が本発明の範囲となるようにＡ剤、Ｂ剤中に配合される。
【００４７】
本発明の漂白剤組成物は、弱アルカリ性洗剤と共に洗濯浴に希釈して洗濯機などで洗浄する方法に用いても差し支えないが、衣料に付着したシミ汚れなどの汚れに、希釈することなく、直接接触させて漂白する方法において高い効果が得られる。汚れに直接接触させる方法としては、衣料に該組成物を浸漬させる方法、シミ汚れの付着している部分に直接塗布や滴下して付着させる方法、及びトリガー式スプレーヤーなどのスプレー付き容器に充填してスプレーする方法を挙げることができ、簡便性の点からシミ汚れの付着している部分に直接塗布や滴下して付着させる方法が好ましい。接触させる時間としては漂白効果の点から好ましくは５〜４８０分、より好ましくは５〜３００分、特に好ましくは１０〜３００分、特に好ましくは３０〜２００分が好適である。また、接触させる温度としては好ましくは２〜５０℃、より好ましくは５〜４０℃である。
【００４８】
漂白後の衣料は水道水ですすぎ洗いをするか、弱アルカリ洗剤と共に洗濯し、すすぎ洗いをすることが好適である。すすぎ後は脱水し、自然乾燥または乾燥機により乾燥する。
【００４９】
【実施例】
表1に示す配合成分を用いて表1に示す漂白剤組成物を調製した。この漂白剤組成物を、下記で調製した汚染布４枚にそれぞれ１ｍｌずつ塗布し、２０℃で１時間放置後、０．０６６７重量％濃度の市販洗剤溶液を使ってターゴトメーターにて洗浄した（８０ｒｐｍ×１０分）後、水道水ですすぎ乾燥させて、下式により漂白率を求めた。結果を表1に示す。
【００５０】
【数１】
0003751555.tif 000007
【００５１】
反射率は日本電色工業（株）製ＮＤＲ−１０ＤＰで４６０ｎｍフィルターを使用して測定した。
【００５２】
（汚染布の調製）
ハウス食品製レトルトカレー（カレーマルシェ）の固形分をメッシュで除去した後、得られた液５００ｇに、牛脂５０ｇ、オレイン酸１５ｇ、パルミチン酸１０ｇを加え、煮沸するまで加熱し、カレー汚れ／皮脂汚れ複合汚れモデルを調製した。この液に木綿金布＃２００３を浸し、約１５分間煮沸した。そのまま火よりおろし、約２時間程度放置後、布を取りだし、余分に付着しているカレー液をへらで除去し自然乾燥させた。その後プレスし、１０ｃｍ×１０ｃｍの試験片として実験に供した。
【００５３】
【表１】
0003751555.tif 000008
【００５４】
１）ポリオキシエチレンラウリルエーテル（ＥＯｐ１０）
２）ＲＯ(Ｃ2Ｈ4Ｏ)n(Ｃ3Ｈ6Ｏ)m−Ｈ（Ｒ：ラウリル、ｎ：１０、ｍ：２）
３）ＲＯ(Ｃ2Ｈ4Ｏ)n−Ｈ（Ｒ：炭素数１２の分岐アルキル基、ｎ：１０）
４）アルキル（炭素数１２〜１５）ベンゼンスルホン酸ナトリウム
５）ポリオキシエチレンラウリルエーテル硫酸エステルナトリウム（ＥＯｐ３）６）α−オレフィン（炭素数１４）スルホン酸ナトリウム
７）Ｎ−テトラデシル−Ｎ，Ｎ，Ｎ−トリメチルアンモニウムクロリド
８）Ｎ−ラウリル−Ｎ，Ｎ−ジメチル−Ｎ−（２−ヒドロキシ−１−スルホプロピル）アンモニウムスルホベタイン
９）ラウロイルオキシベンゼンスルホン酸ナトリウム
１０）ポリアクリル酸ナトリウム（重量平均分子量１００００）
１１）１−ヒドロキシエチリデン−１，１−ジホスホン酸
１２）ｐ−トルエンスルホン酸ナトリウム
＊１；ｐＨは２０℃にて測定した値であり、１０％硫酸水溶液又は３０％ＮａＯＨ水溶液を用いて表記したｐＨ値に調整した。
＊２；０．１規定硫酸必要量は、漂白剤組成物１００ｍｌの２０℃におけるｐＨを７にするために必要な０．１規定硫酸水溶液の量（ｍｌ）である。